(57)【特許請求の範囲】
【請求項１】
ロッドが挿入される円筒体の内周壁に上記ロッドの外面が接する複数のボールを転動可能に配設し、上記円筒体の外周壁の軸方向両端部にそれぞれテーパー部を形成すると共に、上記円筒体外周壁の軸方向両端部を除く全部に凹部を形成し、上記円筒体外周壁の軸方向両端部をブッシュ孔の壁面に密着固定される固定部としたことを特徴とするボールブッシュ。
【発明の詳細な説明】
【０００１】
【発明の属する技術分野】
本発明は、往復運動するロッドを支持するために用いられるボールブッシュに関する。
【０００２】
【従来の技術】
一般に、この種のボールブッシュは、円筒体の内周壁に多数のボールが転動自在に配設されたものであり、機械部品などの孔部に嵌入されて、各種ロッドを多数のボールによって往復動作可能に軸受けするものである。
【０００３】
【発明が解決しようとする課題】
ところで、上記の如きボールブッシュを機械部品などの孔部に嵌入する際、ボールブッシュと孔部との位置合わせがスムースにできない場合があり、作業性を低下させたり、ボールブッシュが傾いて嵌入されるなど歩留まりの低下を招くという問題点がある。
【０００４】
また、ボールブッシュを機械部品などの孔部に嵌入する場合、円筒体の外周壁と孔部の壁面とが全面接触することにより、円筒体と孔部との間に大きな摩擦力が生じるので、ボールブッシュの嵌入に高い圧入力が必要になるとともに、このとき円筒体に作用する応力によってボールブッシュが変形することがあるという問題点がある。
【０００５】
本発明は、上記のような問題点に鑑みてなされたものであって、その目的とするところは、機械部品などの孔部に嵌入する際の圧入力および変形量を低減することができるとともに、嵌入を容易かつ確実に行うことができるボールブッシュを提供することにある。
本発明の上記ならびにその他の目的と新規な特徴は、本明細書の記述および添付図面から明らかになるであろう。
【０００６】
【課題を解決するための手段】
上記目的を達成すべく、本発明に係るボールブッシュは、ロッドが挿入される円筒体の内周壁に上記ロッドの外面が接する複数のボールを転動可能に配設し、上記円筒体の外周壁の軸方向両端部にそれぞれテーパー部を形成すると共に、上記円筒体外周壁の軸方向両端部を除く全部に凹部を形成し、上記円筒体外周壁の軸方向両端部をブッシュ孔の壁面に密着固定される固定部としたことを特徴としている。
【０００７】
【発明の実施の形態】
以下、本発明の実施の形態を図面に基づいて詳細に説明する。実施の形態を説明するに当たって、同一機能を奏するものは同じ符号を付して説明する。
図１は、本発明の一実施の形態に係るボールブッシュの断面図、図２は、本発明の一実施の形態に係るボールブッシュを有するガイド付きシリンダの斜視図、図３は、図２の要部断面図、図４は、本発明の他の実施の形態に係るボールブッシュを有するガイド付きシリンダの要部断面図である。
【０００８】
図１に示すボールブッシュ１０は、機械的特性、摩耗特性、熱的特性および成形性などに優れた材料からなり軸線方向にロッド孔１６を有する円筒体１１と、この円筒体１１の内周壁に転動可能かつ列状に配設された多数のボール１４とからなっている。
【０００９】
多数のボール１４の内、円筒体１１の両端部に位置するボール１４は、その他のボール１４より拡径する方向に配置されており、円筒体１１の内周壁の両端部には止め輪１５がそれぞれ装着され、これら止め輪１５によってボール１４が円筒体１１より抜け出るのを防止している。
【００１０】
円筒体１１の外周壁の両端部には軸線に対して概ね２０°の角度を有するテーパー部１２が形成され、円筒体１１の両端部以外の外周壁の全部には凹部１３が形成されている。
【００１１】
次に、かかるボールブッシュ１０をガイド付きシリンダ１００に使用した例を説明する。
図２において、ガイド付きシリンダ１００では、略直方体のボデー２０の中央部の高さ方向にシリンダ孔２１が穿設され、このシリンダ孔２１の両側にブッシュ孔２２がそれぞれ穿設されている。
【００１２】
シリンダ孔２１には上下動するピストンロッド５０が挿入され、ブッシュ孔２２にはボールブッシュ１０が嵌入固定され、ボールブッシュ１０のロッド孔１６内にはガイドロッド３０が挿入されている（図３参照）。
【００１３】
ピストンロッド５０およびガイドロッド３０の先端部には機械部品などが連結するプレート４０が固着され、このプレート４０はピストンロッド５０の上下動によって上昇・下降される。その際、ガイドロッド３０は、多数のボール１４に接触しボール１４の転動によって軸線方向に小さな摩擦力で往復動され、プレート４０の上昇・下降動作を案内するようになっている。
【００１４】
このように、本実施の形態では、円筒体１１の両端部にテーパー部１２が形成されているので、ボールブッシュ１０は、円筒体１１とブッシュ孔２２との軸線が一致するようにテーパー部１２によって案内され、ガイド付きシリンダ１００のブッシュ孔２２に嵌入される。つまり、ボールブッシュ１０は、テーパー部１２によりブッシュ孔２２に容易に位置合わせされ傾くことなく確実に嵌入されることになる。
【００１５】
また、ボールブッシュ１０の円筒体１１の外周壁に凹部１３が形成されていることで、円筒体１１の外周壁とブッシュ孔２２の壁面との接触面積が小さくなるので、円筒体１１とブッシュ孔２２との摩擦力が軽減され、ボールブッシュ１０の嵌入に要する圧力を低減することができるとともに、円筒体１１に作用する応力が低減され、ボールブッシュ１０の変形量を低減することができる。
【００１６】
ところで、円筒体１１の外周壁の両端部とブッシュ孔２２の壁面とは密着し、これらの摩擦力でボールブッシュ１０は、ブッシュ孔２２に確実に固定されており、凹部１３の円筒体１１の外周壁に占める割合は、ブッシュ孔２２の壁面に接触する円筒体１１の外周壁の両端部がボールブッシュ１０を保持するのに充分な面積を残して決定される。
【００１７】
以上、本発明の実施の形態のボールブッシュについて詳述したが、本発明は、上記実施の形態のボールブッシュに限定されるものではなく、本発明の特許請求の範囲に記載されている発明の精神を逸脱しない範囲で、設計において種々の変更ができるものである。
【００１８】
たとえば、図４に示すボールブッシュ６０のように、円筒体１１の内周壁に列状に配列された多数のボール１４を１組とし、このボール組を円筒体１１の軸線方向に複数組連続して配設してもよい。
【００１９】
【発明の効果】
以上の説明から理解されるように、本発明のボールブッシュは、円筒体の外周壁の軸方向両端部にそれぞれテーパー部が形成されたので、ボールブッシュをブッシュ孔に嵌入する際、ボールブッシュは、テーパー部に案内されてブッシュ孔に容易かつ確実に嵌入され、作業性および歩留まりを向上することができるとともに、円筒体の外周壁に凹部が形成されたので、円筒体とブッシュ孔との摩擦力が軽減され、ボールブッシュの嵌入に要する圧力を低減することができ、さらには円筒体に作用する応力が低減されるので、ボールブッシュの変形量を低減することができる。
【図面の簡単な説明】
【図１】本発明の一実施の形態であるボールブッシュの断面図。
【図２】本発明の一実施の形態であるボールブッシュを有するガイド付きシリンダの斜視図。
【図３】図２の要部断面図。
【図４】本発明の他の実施の形態であるボールブッシュを有するガイド付きシリンダの要部断面図。
【符号の説明】
１０，６０  ボールブッシュ
１１  円筒体
１２  テーパ部
１３  凹部
１４  ボール
１５  止め輪
１６  ロッド孔
２０  ボデー
２１  シリンダ孔
２２  ブッシュ孔
３０  ガイドロッド
４０  プレート
５０  ピストンロッド
１００  ガイド付きシリンダ
【図１】
0003792084.tif 000002
【図２】
0003792084.tif 000003
【図３】
0003792084.tif 000004
【図４】
0003792084.tif 000005